(57)【特許請求の範囲】
【請求項１】
短辺方向に沿って形成された補強部の上部側に伸びた上板と、前記補強部の下部側に伸びた下板とからなる段差状のプレキャストコンクリート板が形成され、該プレキャストコンクリート板が梁間に連続的に敷設されて下床が形成され、該下床上にコンクリートが打設され、隣接したプレキャストコンクリート板の補強部同士が、側面から突出した連結筋、連結板または補強部を貫いた緊張材によって横方向で一体的に接合されてスラブを二つのエリアに仕切る梁状の仕切部が形成されたことを特徴とするスラブ。
【請求項２】
上下階のスラブの仕切部間には、上下階の仕切部を接合する連結棒が設けられたことを特徴とする請求項１に記載のスラブ。
【請求項３】
連結棒は、上下階のスラブの仕切部間における仕切壁内に設けられたことを特徴とする請求項２に記載のスラブ。
【発明の詳細な説明】
【０００１】
【発明の属する技術分野】
本発明はスラブに関するものである。
【０００２】
【従来の技術】
集合住宅におけるスラブは、給排水衛生設備を設置する部分を段差部としたプレキャストコンクリート板（以下、ＰＣ板という）を使用して構築されている。このスラブ３０は、図１４の（１）に示すように、一住戸が狭い場合は戸境部に梁３１が設置され、これでスラブ３０全体が小さく区切られていたため剛性が高くなって床衝撃音に対する遮音性能が増していたが、同図の（２）に示すように、梁３１が下階の天井面に突出していた。そのため居住空間の大きなスラブを構築するには、図１５の（１）に示すように、梁を設けずに短尺梁３２間にＰＣ板３３を設置するようにしていた。このＰＣ板は長辺方向の長さが長くなり、必要な強度を得るためや段差部を形成するために、同図の（２）に示すように、増打ちコンクリート３４を打設する必要があった。またＰＣ板３３を設置して構築した上記のスラブ３０は、隣接したＰＣ板３３同士が横方向で接合されていなかった。
【０００３】
【発明が解決しようとする課題】
しかし、上記のような面積の大きなスラブは剛性が小さくて、その振動が大きくなるため床衝撃音に対する遮音性能が低下していた。またスラブを厚くするため重量が大きくなって非経済的であった。
【０００４】
本発明は上記のような問題に鑑みてなされたものであり、その目的は、床衝撃音に対する遮音性能の高いスラブを提供することである。
【０００５】
【課題を解決するための手段】
以上の課題を解決するためのスラブは、短辺方向に沿って形成された補強部の上部側に伸びた上板と、前記補強部の下部側に伸びた下板とからなる段差状のプレキャストコンクリート板が形成され、該プレキャストコンクリート板が梁間に連続的に敷設されて下床が形成され、該下床上にコンクリートが打設され、隣接したプレキャストコンクリート板の補強部同士が、側面から突出した連結筋、連結板または補強部を貫いた緊張材によって横方向で一体的に接合されてスラブを二つのエリアに仕切る梁状の仕切部が形成されたことを特徴とする。また上下階のスラブの仕切部間には、上下階の仕切部を接合する連結棒が設けられたことを含む。また連結棒は、上下階のスラブの仕切部間における仕切壁内に設けられたことを含むものである。
【０００６】
面積の大きなスラブが形成されるとともに、該スラブが仕切部で小さく仕切られて剛性が大きくなり、その振動が小さくなるため床衝撃音に対する遮音性能が高められる。また鉄筋、緊張材、連結板、充填材のうちのいずれかであっても隣接したＰＣ板の補強部同士を強固に接合することができる。また上下階のスラブが連結棒で接合されているため、上記の床衝撃音に対する遮音性能をさらに高めることができる。また連結棒が仕切壁内に設置されて室内に露出することがないので見栄えも良くなる。
【０００７】
【発明の実施の形態】
以下、本発明のスラブの実施の形態を図面に基づいて詳しく説明する。本発明のスラブの実施の形態は図１〜図３に示すＰＣ板を使用するため、はじめにこのＰＣ板について説明し、その後に、このＰＣ板を使用したスラブについて説明する。また、各実施の形態において同じ構成は同じ符号を付して説明し、異なる構成にのみ異なった符号を付して説明する。
【０００８】
図１は本発明のスラブに使用されるＰＣ板１の平面図であり、該ＰＣ板１は補強部２の上部に伸びた上板３と、補強部２の下部に伸びた下板４とから段差状に形成されている。また、これら上板３および下板４の下面には長さ方向に伸びたリブ５が適宜間隔ごとに突設され、これらのリブ５はＰＣ鋼線６によってプレストレスが付与されてＰＣ板１全体としての強度を保持している。また補強部２の両側面にはコッタ７が設けられ、ここにはＬ字形の連結筋８が３本突出している。この連結筋８は隣接するＰＣ板１の補強部２同士を接合するものであり、Ｌ字形や３本に限らず、必要に応じて任意の形状および本数が決定される。
【０００９】
また図４〜図６は、上記のＰＣ板１を使用した第１の実施の形態のスラブ１０を示したものである。このスラブ１０は、短尺梁１１間にわたって設置されたＰＣ板１によって下床１２が形成され、該下床１２上にトップコンクリート１３が打設されて構築されている。前記ＰＣ板１は、図５に示すように、補強部２同士が接合されて横方向で一体となり、この補強部２が一体となった剛性の大きな梁状の仕切部１４によって２つのエリア１５、１６に仕切られている。すなわち仕切部１４はＰＣ板１の補強部２同士が横方向に連続的に接合されて梁状に形成されたものである。この補強部２同士は、図６に示すように、コッタ７からの連結筋８と、空隙部１７に打設されたトップコンクリート１３とにより接合されている。したがって、スラブ１０は短尺梁１１間に梁のない大きなものとなり、これが前記仕切部１４で２つに仕切られて剛性が大きくなり、その振動が小さくなって床衝撃音に対する遮音性能を高めることができる。また、このような面積の広いスラブ１０を短尺梁１１側の柱１８間に設けた仕切壁１９によって住戸を区切ることもできる。また、この仕切壁１９は対向した短尺梁１１間にも設けることができるので、住戸の割付が自由にできる。
【００１０】
また、図７〜図１０は図６とは異なった補強部２の接合構造を示したものである。図７は、コッタ７にねじ込んだＬ字形の連結筋２１を配筋した接合構造であり、前記連結筋２１がＰＣ板１を短尺梁１１間に設置する前にねじ込まれる。また図８は、各ＰＣ板１の補強部２を貫いたＰＣ鋼線、ＰＣ鋼より線、ＰＣ鋼棒などの緊張材２２で接合された接合構造であり、プレストレスが付与された仕切部１４が形成されている。また図９は、コッタ７に予め取り付けられた連結板２３をジョイント筋２４で接合した接合構造であり、その他は前記と同じ構成である。さらに図１０は、コッタ７に予め突出させた鉄筋２５をジョイント筋２４で接合した接合構造である。また補強部２は、上記の他に空隙部１７に打設されたトップコンクリート１３などの充填材だけで接合することができる。なお、補強部２の接合構造は上記のものに限られず、これら以外の接合構造であってもよい。
【００１１】
また図１１は第２の実施の形態のスラブ２７を示し、各階のスラブ２７の補強部２間にわたって連結棒２８が設けられたものであり、これ以外は第１の実施の形態のスラブ１０と同じ構成である。このように各スラブ２７を連結棒２８で接合すると、各スラブ２７が補強されて剛性が大きくなるので床衝撃音に対する遮音性能も高められる。すなわち、仕切部１４によって面積の大きなスラブ２７を２つのエリア１５、１６に区切り、かつこれらを連結棒２８で繋ぐとスラブ２７の剛性が大きくなって、その振動が小さくなるので床衝撃音に対する遮音性能がより一層高められるようになる。また連結棒２８の上端は、図１１の（２）に示すように、ゴムなどの減衰材２９を介して補強部２に接合されると、前記減衰材２９によりスラブ２７の振動が吸収されるので床衝撃音に対する遮音性能が高くなる。また、連結棒２８を仕切壁１９内に設置すると室内に露出しないので見栄えも良くなる。
【００１２】
上記の実施の形態はリブ５が下側に突出したＰＣ板１を使用したスラブについて説明したが、図１２に示すようにリブ５が上側に突出したＰＣ板２０や、図１３に示すようにリブ５のないＰＣ板２６を使用することもでき、これらも前記と同じ効果を達成することができる。
【００１３】
【発明の効果】
面積の大きなスラブが形成できるとともに、該スラブが仕切部によって小さく仕切られて剛性が大きくなり、その振動が小さくなるので床衝撃音に対する遮音性能を高めることができる。
【００１４】
鉄筋、緊張材、連結板、充填材のうちのいずれかであっても隣接したＰＣ板の補強部同士を強固に接合することができる。
【００１５】
上下階のスラブを連結棒で接合すると剛性が大きくなって、その振動が小さくなるので床衝撃音に対する遮音性能をさらに高めることができるとともに、上下階のスラブを補強することができる。
【００１６】
連結棒を仕切壁内に設置して室内に露出させないので見栄えを良くすることができる。
【図面の簡単な説明】
【図１】ＰＣ板の平面図である。
【図２】ＰＣ板の底面図である。
【図３】（１）はＰＣ板の側面図、（２）は図１のＡ−Ａ線断面図、（３）は図１のＢ−Ｂ線断面図、（４）は図１のＣ−Ｃ線断面図である。
【図４】第１の実施の形態のスラブの平面図である。
【図５】図４のＤ−Ｄ線断面図である。
【図６】補強部の接合を示す断面図である。
【図７】補強部の接合を示す断面図である。
【図８】補強部の接合を示す断面図である。
【図９】補強部の接合を示す断面図である。
【図１０】補強部の接合を示す断面図である。
【図１１】（１）は図４のＥ−Ｅ線断面図、（２）は連結棒の上部の拡大断面図である。
【図１２】（１）および（２）はリブが上面に突出したＰＣ板の断面図である。
【図１３】（１）および（２）はリブのないＰＣ板の断面図である。
【図１４】（１）は従来のスラブの平面図、（２）は同断面図である。
【図１５】（１）は従来のスラブの平面図、（２）は同断面図である。
【符号の説明】
１、３３  ＰＣ板
２  補強部
３  上板
４  下板
５  リブ
６  ＰＣ鋼線
７  コッタ
８、２１  連結筋
１０、２７、３０  スラブ
１１、３２  短尺梁
１２  下床
１３  トップコンクリート
１４  仕切部
１５、１６  エリア
１７  空隙部
１８  柱
１９  仕切壁
２２  緊張材
２３  連結板
２４  ジョイント筋
２５  鉄筋
２８  連結棒
２９  減衰材
３１  梁
３４  増打コンクリート
【図１】
0003809325.tif 000002
【図２】
0003809325.tif 000003
【図３】
0003809325.tif 000004
【図４】
0003809325.tif 000005
【図５】
0003809325.tif 000006
【図６】
0003809325.tif 000007
【図７】
0003809325.tif 000008
【図８】
0003809325.tif 000009
【図９】
0003809325.tif 000010
【図１０】
0003809325.tif 000011
【図１１】
0003809325.tif 000012
【図１２】
0003809325.tif 000013
【図１３】
0003809325.tif 000014
【図１４】
0003809325.tif 000015
【図１５】
0003809325.tif 000016